(57)【要約】【課題】ハンズフリー通話を行なうためのスピーカとマイクロホンとを、近接した位置に配置しても、ハウリングを防止できる配置関係にする。【解決手段】スピーカ１を、そのスピーカユニットが、その振動板の前後から出る音が加算可能なように、バッフル板に取り付けられることなく、保持手段により使用者３の耳の近傍に保持する。スピーカ１の振動板の前後から出る音が加算されて相殺される領域に、使用者３の通話音声を収音するためのマイクロホン２を設ける。マイクロホン２からの使用者３の通話音声信号を、通話の相手方に伝送するために出力する。通話の相手方からの通話音声信号を受け取って、スピーカ１に供給するようにする。【選択図】図１
2010045574.tif 000002
【特許請求の範囲】
【請求項１】
スピーカユニットが、その振動板の前後から出る音が加算可能なように、バッフル板に取り付けられることなく、保持手段により使用者の耳の近傍に保持されるスピーカと、
前記スピーカの前記振動板の前後から出る音が加算されて相殺される領域に設けられた、前記使用者の通話音声を収音するためのマイクロホンと、
前記マイクロホンからの前記使用者の通話音声信号を、通話の相手方に伝送するために出力する出力手段と、
前記通話の相手方からの通話音声信号を受け取って、前記スピーカに供給するようにするための入力手段と、
を備えるハンズフリー通話装置。
【請求項２】
請求項１に記載のハンズフリー通話装置において、
前記マイクロホンで収音した前記使用者の通話音声の音声信号は、ローパスフィルタにより帯域制限された後、前記出力手段から出力される
ハンズフリー通話装置。
【請求項３】
請求項１に記載のハンズフリー通話装置において、
前記スピーカは、使用者が座る椅子のヘッドレストに、前記使用者の耳の近傍となる位置において取り付け、
前記マイクロホンは、前記相殺される領域であって、前記使用者の口に近い位置において取り付けられてなる
ハンズフリー通話装置。
【請求項４】
請求項１に記載のハンズフリー通話装置において、
前記スピーカには、前記通話音声所定の音声信号が供給されて音響再生されるようにされるが、前記通話音声と共に、前記所定の音声信号が供給される場合には、前記所定の音声信号は、減衰された後、前記通話音声と合成される
ハンズフリー通話装置。
【請求項５】
請求項１に記載のハンズフリー通話装置において、
前記出力手段は、
前記マイクロホンからの前記使用者の通話音声信号を、電話回線を通じて相手方に伝送するための第１の出力端と、
前記マイクロホンからの前記使用者の通話音声信号を、他の請求項１に記載の通話装置の前記入力手段に伝送するための第２の出力端と、
前記第１の出力端と前記第２の出力端とのいずれかを選択する第１の選択回路と、
を備え、
前記入力手段は、
電話回線を通じて相手方から送られてくる通話音声信号を受け取るための第１の入力端と、
前記他の請求項１に記載の通話装置の前記第２の出力端を通じて相手方から送られてくる通話音声信号を受け取るための第２の入力端と、
前記第１の入力端と前記第２の入力端とのいずれかを選択する第２の選択回路と、
を備え、
使用者の選択指示が、前記他の請求項１に記載の通話装置との間での通話であるときには、前記第１の選択回路は前記第２の出力端側を、前記第２の選択回路は前記第２の入力端側を、それぞれ選択するように制御する制御手段が設けられてなるハンズフリー通話装置。
【請求項６】
請求項１に記載のハンズフリー通話装置において、
前記マイクロホンで収音して得た音声信号を位相反転したノイズ低減音声信号を、前記相手方からの通話音声信号に加えて前記スピーカに供給する手段を備える
通話装置。
【請求項７】
スピーカユニットが、それぞれ、その振動板の前後から出る音が加算可能なように、バッフル板に取り付けられることなく、保持手段により使用者の左耳および右耳近傍にそれぞれ保持されて構成される第１および第２のスピーカと、
前記第１および第２のスピーカに供給されて音響再生される音声信号を発生する音声信号発生手段と、
前記第１および第２のスピーカの少なくとも一方のスピーカの前記振動板の前後から出る音が加算されて相殺される領域に設けられた、前記使用者の通話音声を収音するためのマイクロホンと、
前記マイクロホンからの前記使用者の通話音声信号を、通話の相手方に伝送するために出力する出力手段と、
前記出力手段と前記マイクロホンとの間に設けられ、通話時に、前記マイクロホンから前記出力手段への前記使用者の通話音声信号の経路を形成するための第１のスイッチ回路と、
前記通話の相手方からの通話音声信号を受け取って、前記少なくとも一方のスピーカに供給するようにするための入力手段と、
前記入力手段と前記少なくとも一方のスピーカとの間に設けられ、通話時に、前記入力手段から前記少なくとも一方のスピーカへの前記相手方からの通話音声信号の経路を形成するための第２のスイッチ回路と、
通話時に、前記音声信号発生手段からの２チャンネルの音声信号を減衰させる第１および第２の減衰手段と、
前記第２のスイッチ回路と前記少なくとも一方のスピーカとの間に設けられ、前記第１および第２の減衰手段からの一方のチャンネルの音声信号と前記通話音声信号とを加算する加算手段と、
を備えるハンズフリー通話機能付き音響再生装置。
【請求項８】
請求項７に記載のハンズフリー通話機能付きの音響再生装置において、
前記第１および第２の減衰手段の減衰量は、前記加算手段に音声信号を供給する方が、他よりも大きく設定されている
ハンズフリー通話機能付き音響再生装置。
【請求項９】
スピーカユニットが、それぞれ、その振動板の前後から出る音が加算可能なように、バッフル板に取り付けられることなく、保持手段により保持されて構成される第１および第２のスピーカと、
前記第１および第２のスピーカに供給されて音響再生される音声信号を発生する音声信号発生手段と、
前記第１および第２のスピーカの少なくとも一方のスピーカの前記振動板の前後から出る音が加算されて相殺される領域に設けられた、前記使用者の通話音声を収音するためのマイクロホンと、
前記マイクロホンからの前記使用者の通話音声信号を、通話の相手方に伝送するために出力する出力手段と、
前記出力手段と前記マイクロホンとの間に設けられ、通話時に、前記マイクロホンから前記出力手段への前記使用者の通話音声信号の経路を形成するための第１のスイッチ回路と、
前記通話の相手方からの通話音声信号を受け取って、前記少なくとも一方のスピーカに供給するようにするための入力手段と、
前記入力手段と前記少なくとも一方のスピーカとの間に設けられ、通話時に、前記入力手段から前記少なくとも一方のスピーカへの前記相手方からの通話音声信号の経路を形成すると共に、前記一方のスピーカへの前記音声信号発生手段からの一方のチャンネルの音声信号を遮断するための第２のスイッチ回路と、
通話時に、前記音声信号発生手段からの他方のチャンネルの音声信号を減衰させる減衰手段と、
を備えるハンズフリー通話機能付き音響再生装置。
【請求項１０】
請求項７または請求項９に記載のハンズフリー通話機能付き音響再生装置において、
前記マイクロホンで収音した前記使用者の通話音声の音声信号は、ローパスフィルタにより帯域制限された後、前記出力手段から出力される
ハンズフリー通話機能付き音響再生装置。
【請求項１１】
請求項７または請求項９に記載のハンズフリー通話機能付き音響再生装置において、
前記スピーカは、使用者が座る椅子のヘッドレストに、前記使用者の耳の近傍となる位置において取り付け、
前記マイクロホンは、前記相殺される領域であって、前記使用者の口に近い位置において取り付けられてなる
ハンズフリー通話機能付き音響再生装置。
【請求項１２】
請求項７または請求項９に記載のハンズフリー通話機能付き音響再生装置において、
前記出力手段は、
前記マイクロホンからの前記使用者の通話音声信号を、電話回線を通じて相手方に伝送するための第１の出力端と、
前記マイクロホンからの前記使用者の通話音声信号を、他の請求項１に記載の通話装置の前記入力手段に伝送するための第２の出力端と、
前記第１の出力端と前記第２の出力端とのいずれかを選択する第１の選択回路と、
を備え、
前記入力手段は、
電話回線を通じて相手方から送られてくる通話音声信号を受け取るための第１の入力端と、
前記他の請求項７または請求項９に記載のハンズフリー通話機能付き音響再生装置の前記第２の出力端を通じて相手方から送られてくる通話音声信号を受け取るための第２の入力端と、
前記第１の入力端と前記第２の入力端とのいずれかを選択する第２の選択回路と、
を備え、
使用者の選択指示が、前記他の請求項７または請求項９に記載のハンズフリー通話機能付き音響再生装置との間での通話であるときには、前記第１の選択回路は前記第２の出力端側を、前記第２の選択回路は前記第２の入力端側を、それぞれ選択するように制御する制御手段が設けられてなるハンズフリー通話機能付き音響再生装置。
【請求項１３】
請求項７または請求項９に記載のハンズフリー通話機能付き音響再生装置において、
前記マイクロホンで収音して得た音声信号を位相反転したノイズ低減音声信号を、前記音声信号発生手段からの音声信号に加えて前記スピーカに供給する手段を備える
ハンズフリー通話機能付きの音響再生装置。
【請求項１４】
請求項７または請求項９に記載のハンズフリー通話機能付き音響再生装置において、
前記マイクロホンで収音して得た音声信号を音声認識する音声認識手段と、
前記音声認識手段での音声認識結果により、制御信号を発生する制御手段を備える
ハンズフリー通話機能付きの音響再生装置。
【請求項１５】
スピーカユニットが、その振動板の前後から出る音が加算可能なように、バッフル板に取り付けられることなく、保持手段により使用者の耳の近傍に保持されるスピーカの前記振動板の前後から出る音が加算されて相殺される領域に、前記使用者の通話音声を収音するためのマイクロホンを設け、
前記スピーカを使用者の耳の近傍に、前記マイクロホンを前記使用者の口の近傍に配置し、
前記マイクロホンからの前記使用者の通話音声信号を、通話の相手方に伝送し、
前記通話の相手方からの通話音声信号を受け取って、前記スピーカにて放音する供給するようにする
ハンズフリー通話方法。
【発明の詳細な説明】
【技術分野】
【０００１】
この発明は、ハンズフリー通話を可能にするハンズフリー通話装置、ハンズフリー通話機能付き音響再生装置、ハンズフリー通話方法に関する。
【背景技術】
【０００２】
電話機のハンドセットを人が手で保持することなく、通話をすることができるようにしたハンズフリー通話装置が提案されている。特に、安全運転のために、運転者がハンズフリー通話ができるようにした車載用ハンズフリー装置も提案されている。
【０００３】
この車載用ハンズフリー装置としては、例えば図２０に示すように、通話者（この場合、運転者）１０１の送話用のマイクロホン１０２を、自動車のフロントガラス内側に設けられるサンバイザー１０３に取り付けたものが提案されている。この場合、車載用オーディオ再生装置が搭載されている場合には、当該車載用オーディオ再生装置の再生音の音響再生に用いられるスピーカが、受話音声の音響再生用として用いることができる。
【０００４】
車載用オーディオ再生装置の再生音の音響再生に用いられるスピーカ１０４は、図２０に示すように、例えば、自動車の運転席、助手席、後部座席のそれぞれのドアに埋め込まれて取り付けられて設けられる。そこで、図２０の場合には、例えば運転者がハンズフリー通話を行なう場合、サンバイザー１０３のマイクロホン１０２と、運転席の右側にあるドアに取り付けられたスピーカ１０４とが用いられるように構成されている。
【０００５】
しかし、この図２０の場合には、マイクロホン１０２がスピーカ１０４から放音される音を収音することによるハウリングの問題がある。また、マイクロホン１０２とスピーカ１０４の設置位置が、サンバイザー１０３とドアというように離れているため、配線の引き回しに難点があるという問題もある。
【０００６】
この点を改善したものとして、特許文献１（特開２００１−１４６１３６号公報）には、図２１に示すような自動車用ハンズフリー通話装置が提案されている。この特許文献１に示されるものは、自動車の座席シートの背もたれ部１１１の上方の、ヘッドレスト１１４を挟んだ両肩部分の一方に、受話用のスピーカ１１２を設け、他方に送話用のマイクロホン１１３を設けたものである。
【０００７】
この特許文献１の構成によれば、ヘッドレスト１１４および利用者（運転者）の存在が遮音となり、ハウリングが低減されると共に、スピーカ１１２とマイクロホン１１３に対する配線は、例えば図２１の配線部１１５で示すように、共通化することができる。
【０００８】
上記の特許文献は、次の通りである。
【特許文献１】特開２００１−１４６１３６号公報
【発明の開示】
【発明が解決しようとする課題】
【０００９】
しかしながら、上記の特許文献１の自動車用ハンズフリー通話装置では、スピーカ１１２からの放音音声が大きいときには、ハウリングの防止効果が小さくなってしまうという問題がある。
【００１０】
また、この特許文献１の自動車用ハンズフリー通話装置のスピーカ１１２を、カーオーディオの音楽再生用として用いることも可能ではある。しかし、スピーカ１１２は、ハウリング防止のためには、背もたれ部１１１の上方のヘッドレスト１１４を挟んだ両肩部分の、マイクロホン１１３が設けられない方にのみ設けられる必要がある。
【００１１】
このため、特許文献１の自動車用ハンズフリー通話装置のスピーカを、カーオーディオの音楽再生用として用いる場合、左右２チャンネルステレオ再生音を聴取しながらのハンズフリー通話ができない構成となってしまう。
【００１２】
すなわち、左右２チャンネルステレオ再生をするためには、座席シートの背もたれ部１１１の上方の両肩部分にスピーカを配置することが必要となる。しかし、そのようなスピーカ配置をすると、マイクロホン１１３が設けられている側にも、当該マイクロホン１１３の近傍にスピーカが配置されることになる。しかし、特許文献１では、マイクロホン１１３の近傍にスピーカ１１２を配置する構成はハウリングを考慮すれば想定されていない。したがって、特許文献１では、音楽再生用のスピーカは、ハンズフリー通話用のスピーカとは別個に設けられる構成とする必要がある。
【００１３】
この発明は、ハンズフリー通話を行なうためのスピーカとマイクロホンとを、近接した位置に配置しても、ハウリングを防止できる配置関係にすることで、上述した問題点を解消するようにして装置および方法を提供することを目的とする。
【課題を解決するための手段】
【００１４】
上記の課題を解決するために、請求項１の発明は、
スピーカユニットが、その振動板の前後から出る音が加算可能なように、バッフル板に取り付けられることなく、保持手段により使用者の耳の近傍に保持されるスピーカと、
前記スピーカの前記振動板の前後から出る音が加算されて相殺される領域に設けられた、前記使用者の通話音声を収音するためのマイクロホンと、
前記マイクロホンからの前記使用者の通話音声信号を、通話の相手方に伝送するために出力する出力手段と、
前記通話の相手方からの通話音声信号を受け取って、前記スピーカに供給するようにするための入力手段と、
を備えるハンズフリー通話装置を提供することを特徴とする。
【００１５】
上記の構成の請求項１の発明によるハンズフリー通話装置によれば、スピーカは、そのスピーカユニットが、その振動板の前後から出る音が加算可能なように、バッフル板に取り付けられることなく、保持手段により使用者の耳の近傍に保持される。
【００１６】
そして、マイクロホンは、スピーカの振動板の前後から出る音が互いに加算されて相殺される領域に配置される。したがって、マイクロホンは、スピーカから放音される音声を収音することはないので、スピーカからの放音音声をマイクロホンが収音することによるハウリングは生じない。
【００１７】
しかも、マイクロホンは、スピーカの近傍に配置できるので、配線の引き回しも簡単にできる。
【００１８】
また、請求項７の発明は、
スピーカユニットが、それぞれ、その振動板の前後から出る音が加算可能なように、バッフル板に取り付けられることなく、保持手段により使用者の左耳および右耳近傍にそれぞれ保持されて構成される第１および第２のスピーカと、
前記第１および第２のスピーカに供給されて音響再生される音声信号を発生する音声信号発生手段と、
前記第１および第２のスピーカの少なくとも一方のスピーカの前記振動板の前後から出る音が加算されて相殺される領域に設けられた、前記使用者の通話音声を収音するためのマイクロホンと、
前記マイクロホンからの前記使用者の通話音声信号を、通話の相手方に伝送するために出力する出力手段と、
前記出力手段と前記マイクロホンとの間に設けられ、通話時に、前記マイクロホンから前記出力手段への前記使用者の通話音声信号の経路を形成するための第１のスイッチ回路と、
前記通話の相手方からの通話音声信号を受け取って、前記少なくとも一方のスピーカに供給するようにするための入力手段と、
前記入力手段と前記少なくとも一方のスピーカとの間に設けられ、通話時に、前記入力手段から前記少なくとも一方のスピーカへの前記相手方からの通話音声信号の経路を形成するための第２のスイッチ回路と、
通話時に、前記音声信号発生手段からの２チャンネルの音声信号を減衰させる第１および第２の減衰手段と、
前記第２のスイッチ回路と前記少なくとも一方のスピーカとの間に設けられ、前記第１および第２の減衰手段からの一方のチャンネルの音声信号と前記通話音声信号とを加算する加算手段と、
を備えるハンズフリー通話機能付き音響再生装置を提供する。
【００１９】
上記の構成の請求項７の発明によるハンズフリー通話機能付き音響再生装置によれば、左右２チャンネル用の第１および第２のスピーカのそれぞれは、そのスピーカユニットが、その振動板の前後から出る音が加算可能なように、バッフル板に取り付けられることなく、保持手段により使用者の左右両耳の近傍に保持される。
【００２０】
そして、マイクロホンは、第１および第２のスピーカの少なくとも一方のスピーカの振動板の前後から出る音が互いに加算されて相殺される領域に配置される。したがって、マイクロホンは、この一方のスピーカから放音される音声を収音することはないので、当該一方のスピーカに近接した位置にマイクロホンを配置しても、当該一方のスピーカからの放音音声をマイクロホンが収音することによるハウリングは生じない。
【００２１】
このため、例えば、椅子の背もたれ部の上部の左右両肩部に左右チャンネルのスピーカをそれぞれ配し、その一方のスピーカの近傍にマイクロホンを配置する構成とすることが可能となる。したがって、ハンズフリー通話用のスピーカを、例えば、カーステレオの音楽再生用として用いる構成としても、ハウリングが起こりにくい構成とすることができる。
【００２２】
そして、マイクロホンは、スピーカの近傍に配置できるので、配線の引き回しは簡単にできる。
【発明の効果】
【００２３】
この発明によるハンズフリー通話装置によれば、マイクロホンをスピーカの近傍に配置しても、当該スピーカから放音される音声を当該マイクロホンが収音しないので、スピーカからの放音音声によるハウリングは生じない。しかも、マイクロホンは、スピーカの近傍に配置できるので、配線の引き回しも簡単にできる。
【００２４】
また、スピーカの近傍にマイクロホンを配置してハウリングを防止することができる構成であるので、マイクロホンと、他のスピーカとは距離を離すことで、当該他のスピーカからの音声の収音によるハウリングを防止することができる。このため、ハンズフリー用のスピーカを、音楽再生用のスピーカとしても兼用することが容易にできる。
【発明を実施するための最良の形態】
【００２５】
以下、この発明によるハンズフリー通話装置の実施形態およびハンズフリー通話機能付き音響再生装置の実施形態を、図を参照しながら説明する。
【００２６】
［ハンズフリー通話装置の実施形態（第１の実施形態）］
図１は、この発明によるハンズフリー通話装置の実施形態の構成例を説明するための図である。
【００２７】
図１に示す実施形態のハンズフリー通話装置１０においては、使用者３の左耳の近傍にスピーカ１が配置される。このスピーカ１は、いわゆる裸のスピーカの構成とされる。すなわち、スピーカ１は、そのスピーカユニットの振動板の前方に放射される音と、後方から放射される音が混合可能となるように、当該スピーカユニットがスピーカボックスには収納されてはおらず、かつ、バッフル板に取り付けられてはいない。
【００２８】
この裸のスピーカ１では、図２に示すように、そのスピーカユニットの振動板の前から放射される音波Ｓｆと、後ろから放射される音波Ｓｂとが混合される。ここで、スピーカユニットの振動板の前から出る音波Ｓｆの位相（図３（Ａ）参照）と、振動板の後ろから出る音波Ｓｂの位相（図３（Ｃ）参照）とでは、互いに逆相となる。このため、スピーカ１の振動板の外周端を含む面に平行な面内であって、当該振動板の外周端よりも外側の領域において、当該振動板の前後から出る音が加算されて相殺され（図３（Ｂ）参照）、音圧がほぼゼロになる領域（以下、音圧ゼロ領域と称する）Ｚｏが存在する。
【００２９】
この音圧ゼロ領域Ｚｏは、スピーカ１で音声を再生したときに、マイクロホンにより、当該スピーカ１からの放射音波を収音することにより、確認することができる。図２では、破線５により、この領域を示している。
【００３０】
この実施形態では、この音圧ゼロ領域Ｚｏの任意の位置に、送話者（使用者３）の送話音声の収音用のマイクロホン２を配置する。実際的には、例えば、スピーカ１の振動板の外周フレーム部の近傍が音圧ゼロ領域Ｚｏとなるので、当該スピーカ１の振動板の外周フレーム部に対してマイクロホン２が固定されて、音圧ゼロ領域Ｚｏにマイクロホン２が配置される。つまり、この例では、マイクロホン２の保持手段は、スピーカ１となる。
【００３１】
この実施形態では、図４に示すように、スピーカ１は、使用者３が座る椅子６のヘッドレスト部７の、使用者３の左耳側に、振動板１Ｃの振動面が使用者側を向くように固定される。この例では、スピーカ１の振動板１Ｃの振動面が使用者側を向くようにするため、振動板１Ｃの振動面が、ヘッドレスト部７の長片方向に対して、例えば４５度程度の斜めの状態で、スピーカ１は、ヘッドレスト部７に取り付けられる。
【００３２】
そして、図４に示すように、マイクロホン２は、スピーカ１の振動板１Ｃの外周フレーム部１Ａにおいて、使用者３の口に対応する位置に固定される。図４の例では、スピーカ１の外周フレーム部１Ａのマイクロホン２の取り付け位置が、最下端位置となるような状態で、スピーカ１は、ヘッドレスト部７に取り付けられる。
【００３３】
そして、このマイクロホン２により、使用者３が発声する通話音声が収音される。マイクロホン２で音響−電気変換されて得られる通話音声信号は、マイクアンプ１１を通じてローパスフィルタ１２に供給される。そして、ローパスフィルタ１２の出力音声信号が、音声信号出力端子１３を通じて、この実施形態では、携帯電話端末４の送話音声入力端子に供給される。
【００３４】
また、携帯電話端末４の受話音声出力端子からの通話の相手方からの受話音声信号が、音声信号入力端子１４を通じて、この実施形態のハンズフリー通話装置１０に入力される。そして、この音声信号入力端子１４を通じて入力された受話音声信号は、パワーアンプ１５を通じてスピーカ１に供給される。この場合、スピーカ１は、使用者の耳の近くに配置されるので、スピーカ１から放音する通話音声の音量は小さくてよい。このことも、ハウリング防止には、より効果的である。
【００３５】
ローパスフィルタ１２は、この実施形態では、次のような理由により設けられている。すなわち、裸のスピーカ１の振動板１Ｃの前後から出る音のうち、特に、低い周波数については、振動板１Ｃの前後から出る音の相殺効果が大きい。裸のスピーカ１の振動板１Ｃの前後から出る音の中高域成分は、音圧ゼロ領域Ｚｏでは大きく減衰したものとなるが、完全にはゼロにはならない。
【００３６】
そこで、この実施形態では、より確実にハウリング無く、安定に通話ができるようにするために、ローパスフィルタ１２により、前述した音圧ゼロ領域Ｚｏに配置したときにほぼ完全に相殺されて音圧がゼロになる通話音声帯域成分のみに制限するものである。この例では、ローパスフィルタ１２におけるカットオフ周波数は、例えば２ｋＨｚ程度とされている。このローパスフィルタ１２のカットオフ周波数は、ハンズフリー通話装置の使用環境により異なり、例えばカットオフ周波数が１ｋＨｚ以下の場合も考えられる。
【００３７】
以上の構成により、この実施形態のハンズフリー装置１０によれば、ハウリングの心配なく、安定に通話を行なうことができる。そして、スピーカ１にマイクロホン２を固定する構成とすることができ、スピーカ１とマイクロホン２とが近接して１体として取り扱うことも可能であるので、取り付けや配線などが非常に簡単になるという効果もある。
【００３８】
また、例えば図４において、点線で示すように、右耳側に、右チャンネルスピーカＳＰＲを配し、上述した実施形態のスピーカ１を左チャンネルスピーカとすることにより、２チャンネルステレオ用の音響再生装置を実現することも容易である。
【００３９】
なお、上述の実施形態では、使用者の左側にのみ、スピーカ１およびマイクロホン２を配置するようにしたが、使用者の右側に配置しても良いことはいうまでもない。
【００４０】
また、使用者の左側と右側の両方に、スピーカおよびマイクロホンを上述のスピーカ１とマイクロホン２と同様の配置関係で設け、両者をハンズフリー通話に用いるようにしても良い。その場合には、左右のマイクロホンで収音し、ローパスフィルタを通じた送話音声信号は、合成して、音声信号出力端子１３から送出する。また、相手方からの受話音声信号は、左右のスピーカに分配して音響再生するようにする。
【００４１】
［ハンズフリー通話機能付き音響再生装置の実施形態］
＜第２の実施形態＞
図５は、ハンズフリー通話機能付き音響再生装置の実施形態（第２の実施形態）の構成例を示すブロック図である。図５において、上述したハンズフリー通話装置１０と同一の構成部分には、同一番号を付してある。
【００４２】
この第２の実施形態は、左右２チャンネルのステレオ音響再生装置において、その一方のチャンネルのスピーカをハンズフリー通話機能用としても用いる場合である。
【００４３】
この実施形態のハンズフリー通話機能付き音響再生装置は、音声信号処理部２０と、音声信号発生手段の例としての音楽ソース部３０と、制御部４０と、操作ボタン群４１と、携帯電話端末４とから構成される。
【００４４】
そして、図６に示すように、この実施形態では、使用者３が座る椅子５１のヘッドレスト部５２の左右両側に左チャンネル用スピーカ１Ｌおよび右チャンネル用スピーカ１Ｒが取り付けられる。これら左右チャンネルのスピーカ１Ｌおよび１Ｒは、裸のスピーカの構成とされる。
【００４５】
そして、この実施形態では、左チャンネルのスピーカ１Ｌからの放射音波について、音圧ゼロ領域Ｚｏの任意の位置に、送話者（使用者３）の送話音声の収音用のマイクロホン２が配置される。前述したように、スピーカ１Ｌの振動板の外周フレーム部の近傍が音圧ゼロ領域Ｚｏとなるので、この実施形態においても、当該スピーカ１Ｌの振動板の外周フレーム部に対してマイクロホン２が固定されて、音圧ゼロ領域Ｚｏにマイクロホン２が配置される。
【００４６】
この実施形態では、左チャンネルのスピーカ１Ｌがハンズフリー通話機能用として用いられるので、この左チャンネルのスピーカ１Ｌに対してのみ、マイクロホン２が設けられ、右チャンネルのスピーカは、ハンズフリー通話には用いられない。
【００４７】
音楽ソース部３０は、この実施形態では、ＣＤ（Ｃｏｍｐａｃｔ  Ｄｉｓｃ）プレーヤと、ハードディスクドライブ（以下、ＨＤＤと略称する）３１Ｈと、放送受信部３１Ｂとを備えている。ＣＤプレーヤ３１Ｃは、ＣＤがこれに装填されると２チャンネルの音声信号をデコードして出力する。ＨＤＤ３１Ｈには、多数の音楽コンテンツの音楽データが格納されており、これが選択されると、音楽データをデコードして、２チャンネルの音声信号を出力する。放送受信部３１Ｂは、例えば、ＡＭラジオ放送、ＦＭラジオ放送およびテレビ放送などを受信可能であり、受信した放送音声を、２チャンネルの音声信号として出力する。
【００４８】
この実施形態では、ＣＤプレーヤ３１Ｃ、ＨＤＤ３１Ｈ、放送受信部３１Ｂからの左右２チャンネルの音声信号は、音声信号処理部２０に供給される。
【００４９】
音声信号処理部２０では、ＣＤプレーヤ３１Ｃ、ＨＤＤ３１Ｈおよび放送受信部３１Ｂからの２チャンネルの音声信号は、ソース選択回路３２に入力される。
【００５０】
操作ボタン群４１は、図７に示すように、電話ボタン６１、ＣＤボタン６２、ＨＤＤボタン６３、放送ボタン６４などの選択ボタンと、音量調整つまみ６５とを備えている。操作ボタン群４１での使用者によるボタン操作に応じた操作信号は、制御部４０に供給される。
【００５１】
なお、操作ボタン群４１には、上述のような選択ボタンのほかに、ＣＤプレーヤ３１ＣやＨＤＤ３１Ｈに対する、いわゆるリピート再生や、シャッフル再生、また、放送受信部３１Ｂにおける放送選局用操作ボタンなども含む。しかし、説明の簡単のため、これらのボタンについては図示及び説明を省略する。
【００５２】
制御部４０は、例えばマイクロコンピュータを搭載して構成されており、操作ボタン群４１における使用者のボタン操作に応じた制御信号を生成し、音楽ソース部３０および音声信号処理部２０の必要な各部に供給するようにする。
【００５３】
この実施形態のハンズフリー通話機能付き音響再生装置では、電話ボタン６１が押下されないときには、音楽ソース再生モードとなり、電話ボタン６１が押下されたときには、ハンズフリー通話モードとなるように、制御部４０により制御される。なお、この実施形態におけるハンズフリー通話モードにおいては、音楽ソースの再生が停止されるのではなく、後述するように、ハンズフリー通話に影響が無い程度に、音楽ソースの音量が絞られるように制御される。
【００５４】
そして、音楽ソース再生モードにおいて、ＣＤボタン６２、ＨＤＤボタン６３、放送ボタン６４などの音楽ソースについての選択ボタンが押下されると、制御部４０は、ソース選択回路３２にソース選択信号を供給する。
【００５５】
ソース選択回路３２は、そのソース選択信号により選択制御されて、押下された選択ボタンに応じた音楽ソースを選択するように選択制御する。例えば、ＣＤボタン６２が押下されるとソース選択回路３２は、ＣＤプレーヤ３１Ｃからの左右２チャンネルの音声信号を選択出力する。同様に、ＨＤＤボタン６３が押下されると、ＨＤＤ３１Ｈからの左右２チャンネルの音声信号を、また、放送ボタン６４が押下されると、放送受信部３１Ｂからの左右２チャンネルの音声信号を、ソース選択回路３２は、それぞれ選択出力する。
【００５６】
ソース選択回路３２からの２チャンネルの音声信号のうちの、この実施形態では、左チャンネルの音声信号は、減衰部３３Ｌを通じて、通話時の受話音声信号との混合回路３６に供給される。この混合回路３６の出力音声信号が音量調整用ボリューム３４Ｌおよびパワーアンプ３５Ｌを通じて、左チャンネル用のスピーカ１Ｌに供給されて、音響再生される。
【００５７】
また、ソース選択回路３２からの２チャンネルの音声信号のうちの右チャンネルの音声信号は、減衰部３３Ｒを通じ、音量調整用ボリューム３４Ｒおよびパワーアンプ３５Ｒを通じて、右チャンネル用のスピーカ１Ｒに供給されて、音響再生される。
【００５８】
この場合に、スピーカ１Ｌおよび１Ｒは、使用者の耳の近傍に配置されるので、これらスピーカ１Ｌおよび１Ｒから放音される音は、小出力音量でよい。
【００５９】
減衰部３３Ｌおよび３３Ｒは、この実施形態のハンズフリー通話機能付き音響再生装置において、ハンズフリー通話を行なうときに、音楽ソース部３０からの音楽ソースの音量を低減するためのものである。音楽ソース再生モードにおいては、これら減衰部３３Ｌおよび３３Ｒの減衰量は、ゼロである。つまり、減衰部３３Ｌ，３３Ｒは、音楽ソース再生モードにおいては、入力音声信号を減衰せず入出力する。
【００６０】
そして、操作ボタン群４１の電話ボタン６１が使用者により押下されたとき、制御部４０は、それを検知してハンズフリー通話モードに切り替え、減衰部３３Ｌおよび３３Ｒに減衰制御信号を供給して、ソース選択回路３２からの音声信号を減衰させるようにする。
【００６１】
この場合において、減衰部３３Ｌおよび３３Ｒの減衰量は、通話の邪魔にならない程度に音楽ソースの音声信号を減衰させるように選定される。減衰部３３Ｌおよび３３Ｒの減衰量は、同一であっても良い。しかし、この実施形態では、通話用には、左チャンネルのみが用いられるので、左チャンネルの減衰部３３Ｌの減衰量の方が、右チャンネルの減衰部３３Ｒの減衰量よりも大きくされる。例えば、この実施形態では、ハンズフリー通話時における、左チャンネルの減衰部３３Ｌの減衰量は−２０ｄＢとされ、右チャンネルの減衰部３３Ｒの減衰量は−１０ｄＢとされる。
【００６２】
音量調整用ボリューム３４Ｌおよび３４Ｒは、使用者により音量調整つまみ６５が操作されたときに、その操作に応じて、スピーカ１Ｌおよび１Ｒに供給する音声信号の音量を制御するためのものである。
【００６３】
すなわち、使用者が、音量調整つまみ６５を、例えば右回転させると、制御部４０は、それを検知して、スピーカ１Ｌおよび１Ｒに供給する音声信号の音量を、その回転量に応じた分だけ、大きくするように音量調整用ボリューム３４Ｌおよび３４Ｒを制御する。また、使用者が、音量調整つまみ６５を、例えば左回転させると、制御部４０は、それを検知して、スピーカ１Ｌおよび１Ｒに供給する音声信号の音量を、その回転量に応じた分だけ、小さくするように音量調整用ボリューム３４Ｌおよび３４Ｒを制御する。
【００６４】
次に、ハンズフリー通話の音声信号の処理系について説明する。
【００６５】
この実施形態では、図５に示すように、マイクロホン２により、使用者３が発声する通話音声が収音され、音響−電気変換されて通話音声信号とされ、音声信号処理部２０に入力される。音声信号処理部２０では、マイクロホン２からの通話音声信号は、マイクアンプ２１を通じて、前述のローパスフィルタ１２と同様のローパスフィルタ２２に供給される。そして、ローパスフィルタ２２の出力音声信号が、通話時と音楽ソース再生時とで切り換えられるスイッチ回路２３の通話側端子（入力端子）Ｔに供給される。
【００６６】
このスイッチ回路２３の音楽再生側端子（入力端子）Ｍは、この実施形態では接地されている。
【００６７】
このスイッチ回路２３の切換端子（出力端子）は、音声信号出力端子２４を通じて、この実施形態では、携帯電話端末４の送話音声入力端子に接続される。つまり、マイクロホン２で収音された使用者３の送話音声信号が、携帯電話端末４の送話音声入力端子に供給される。
【００６８】
また、携帯電話端末４の受話音声出力端子からの通話の相手方からの受話音声信号が、音声信号入力端子２５を通じて、この実施形態の音声信号処理部２０に入力される。そして、この音声信号入力端子２５を通じて入力された受話音声信号は、通話時と音楽ソース再生時とで切り換えられるスイッチ回路２６の通話側端子（入力端子）Ｔに供給される。
【００６９】
このスイッチ回路２６の音楽再生側端子（入力端子）Ｍは、この実施形態では接地されている。そして、このスイッチ回路２６の切換端子（出力端子）は、混合回路３６に接続されており、通話時には、相手方からの受話音声信号が、通話側端子Ｔを通じて混合回路３６に供給される。そして、この混合回路３６の出力音声信号は、音量調整用ボリューム３４Ｌおよびパワーアンプ３５Ｌを通じて、左チャンネル用のスピーカ１Ｌに供給されて、音響再生される。
【００７０】
［第２の実施形態の動作説明］
音楽ソース再生モードにおいては、スイッチ回路２３およびスイッチ回路２６は、それぞれ音楽再生側端子Ｍに切り換えられており、マイクロホン２からの収音音声信号は、スイッチ回路２３Ａを通じて接地端に供給される。また、携帯電話端末４からの音声信号は、スイッチ回路２６により遮断されている。
【００７１】
そして、音楽ソース部３０からの音楽ソースが左右チャンネルのスピーカ１Ｌ，１Ｒに供給されて音響再生されている。このときの減衰部３３Ｌ，３３Ｒでの減衰量はゼロである。そして、出力音量は、操作ボタン群４１の音量調整つまみ６５の操作により変えられる。また、操作ボタン群４１のＣＤボタン６２、ＨＤＤボタン６３、放送ボタン６４などを操作することにより、音楽ソース部３０から送出される２チャンネル音声信号のソース源が変更される。
【００７２】
次に、音楽ソース再生モードのときに、携帯電話端末４に着信があった場合、この実施形態では、使用者は、携帯電話端末４で着信応答操作（例えばオフフック操作）をすると共に、操作ボタン群４１の電話ボタン６１を押下操作する。
【００７３】
また、使用者３が携帯電話端末４から相手方に発信をしてハンズフリー通話をする場合には、この実施形態では、使用者３は、携帯電話端末４で相手方への発信操作をすると共に、電話ボタン６１を押下する。
【００７４】
使用者が操作ボタン群４１の電話ボタン６１を押下すると、制御部４０は、それを検知して、音声信号処理部２０をハンズフリー通話モードに切り換える。そして、制御部４０は、スイッチ回路２３および２６に対して、これらをそれぞれ通話側端子Ｔに切り換える切換制御信号を供給すると共に、減衰部３３Ｌおよび３３Ｒに対して、前述した減衰制御信号を出力する。これにより、減衰部３３Ｌは、その入力音声信号を−２０ｄＢ、減衰させて出力し、また、減衰部３３Ｒは、その入力音声信号を−１０ｄＢ、減衰させて出力する。
【００７５】
そして、マイクロホン２で収音された使用者３の発声音声の送話音声信号は、マイクアンプ２１、ローパスフィルタ２２、スイッチ回路２３、音声信号出力端子２４を通じて携帯電話端末４に供給されて、相手方に携帯電話網を通じて送られる。また、携帯電話端末４で受信された相手方からの受話音声信号は、音声信号入力端子２５を通じて音声信号処理部２０に入力される。
【００７６】
入力された相手方からの受話音声信号は、混合回路３６で減衰部３３Ｌからの左チャンネルの音声信号と混合され、音量調整用ボリューム３４Ｌおよびパワーアンプ３５Ｌを通じてスピーカ１Ｌに供給される。したがって、受話音声信号は、減衰された左チャンネルの音声信号と混合されてスピーカ１Ｌによって、音響再生される。
【００７７】
また、右チャンネルの音声信号は、−１０ｄＢ減衰された、右チャンネルスピーカ１Ｒにより音響再生される状態となる。
【００７８】
このように、このハンズフリー通話モードにおいては、音楽ソース部３０からの２チャンネル音声信号は、減衰部３３Ｌおよび３３Ｒにおいて、それぞれ−２０ｄＢおよび−１０ｄＢだけ減衰されるので、通話音声が聞きづらくなることが防止される。
【００７９】
したがって、ハンズフリー通話モードにおいては、音楽ソース再生モードにおいて使用者が聴取していた音楽ソースの聴取を続行しながら、携帯電話４を通じた相手方とのハンズフリー通話が可能となる。
【００８０】
そして、スピーカ１Ｌおよび１Ｒは、使用者の耳の近傍に配置されているので、元々の放音出力音量（音圧）が小さくてよい。このことと、マイクロホン２が、スピーカ１Ｌの音圧ゼロ領域Ｚｏに配置されることも相俟って、この実施形態では、ハウリングを防止して、音楽ソースを聴取しながらのハンズフリー通話が可能となる。
【００８１】
使用者３が、電話ボタン６１を押下し、携帯電話端末４から相手方に発信をしてハンズフリー通話をしようとした場合には、相手方が応答をすれば、上述のようにして、音楽ソースを聞きながらのハンズフリー通話が可能となる。
【００８２】
なお、この実施形態では、携帯電話端末４への着信に対する応答や、発信操作については、携帯電話端末４において着信応答操作したり、発信操作をしたりすることで、対応するようにしている。
【００８３】
しかし、携帯電話端末４がコンピュータとの接続端子を備える場合に、当該接続端子を用いて、自動着信／終話、登録された相手先へのワンタッチ発信機能を実現するようにするハンズフリーキットも存在する。そこで、このハンズフリーキットの機能を制御部４０に備えるようにすることで、制御部４０が自動着信／終話などの機能を行なうようにすることも勿論できる。
【００８４】
［第３の実施形態（ハンズフリー通話機能付き音響再生装置の実施形態）］
上述した第２の実施形態では、使用者は、音楽ソース部３０のＣＤプレーヤ３１Ｃ，ＨＤＤ３１Ｈ，放送受信部３１Ｂなどの各ソース源についての制御は、操作ボタン群４１の操作ボタンで行なうように説明した。
【００８５】
これに対して、この第３の実施形態では、ハンズフリー通話機能用のマイクロホンを、各ソース源の選択制御や音量制御を音声認識で行う場合の、音声制御語の収音用としても用いるようにした場合である。なお、この実施形態では、操作ボタン群４１の操作ボタンによる制御も可能であるが、さらに、音声認識による制御が可能な構成とされる。
【００８６】
図８は、ハンズフリー通話機能付き音響再生装置の第３の実施形態の構成例を示すブロック図である。この図８において、図５の第２の実施形態の構成例を同一部分には、同一符号を付与して、その説明は省略する。
【００８７】
そして、この第３の実施形態においても、図６に示したように、使用者３が座る椅子５１のヘッドレスト部５２の左右両側に左チャンネル用スピーカ１Ｌおよび右チャンネル用スピーカ１Ｒが取り付けられる。これら左右チャンネルのスピーカ１Ｌおよび１Ｒは、裸のスピーカの構成とされる。そして、左チャンネルのスピーカ１Ｌからの放射音波について、音圧ゼロ領域Ｚｏの任意の位置に、送話者（使用者３）の送話音声の収音用のマイクロホン２が配置される。
【００８８】
この実施形態においても、当該スピーカ１Ｌの振動板の外周フレーム部に対してマイクロホン２が固定されて、音圧ゼロ領域Ｚｏにマイクロホン２が配置される。
【００８９】
この第３の実施形態では、図８に示すように、ローパスフィルタ２２を通じたマイクロホン２からの音声信号は、スイッチ回路２３Ｍの切換端子（入力端子）に供給される。そして、この実施形態では、ローパスフィルタ２２を通じたマイクロホン２からの音声信号は、このスイッチ回路２３Ｍの通話側端子（出力端子）Ｔから、音声信号出力端子２４を通じて、携帯電話端末４の送話音声入力端子に供給される。
【００９０】
また、この実施形態では、ローパスフィルタ２２を通じたマイクロホン２からの音声信号は、このスイッチ回路２３Ｍの音楽再生側端子（出力端子）Ｍを通じて、音声認識回路４２に供給される。この音声認識回路４２では、「ＣＤ」、「ＨＤＤ」、「放送」などのソース選択の発声語や、「リピート」、「チェンジ」、「音量アップ」、「音量ダウン」などの制御のための発声語を音声認識するように構成されている。そして、音声認識回路４２での音声認識結果は、制御部４０に供給される。
【００９１】
制御部４０は、音声認識回路４２からの音声認識結果に応じた制御を行なう。例えば、制御部４０は、音声認識回路４２から、「ＣＤ」、「ＨＤＤ」、「放送」などのソース選択の発声語の音声認識結果を受けたと判別したときには、その発声語で指定されたソースを選択するようにソース選択回路３２を切り換える。例えば、「ＣＤ」と発声されたと判別したときには、制御部４０は、ＣＤプレーヤ３１Ｃを選択するようにソース選択回路３２を切り換える。
【００９２】
また、制御部４０は、ソースとして、「ＣＤ」および「ＨＤＤ」が選択されているときに、「リピート」と発声されたと判別したときには、再生中の音楽コンテンツを、もう一度、繰り返し再生するようにする。また、制御部４０は、ソースとして、「ＣＤ」および「ＨＤＤ」が選択されているときに、「チェンジ」と発声されたと判別したときには、再生される音楽コンテンツを、現在再生中のものから、他の音楽コンテンツに変更するように、ＣＤプレーヤ３１ＣまたはＨＤＤ３１Ｈを制御するようにする。また、制御部４０は、ソースとして、「放送受信部」が選択されているときに、「チェンジ」と発声されたと判別したときには、受信する放送チャンネルを現在のチャンネルから他のチャンネルに変更するように、放送受信部３１Ｂを制御するようにする。
【００９３】
また、制御部４０は、「音量アップ」または「音量ダウン」と発声されたと判別したときには、音量調整用ボリューム３４Ｌおよび３４Ｒを、認識された発声語に応じて制御するようにする。
【００９４】
その他の構成および動作は、上述した第２の実施形態と同様である。すなわち、スイッチ２３Ｍの音楽再生側端子（出力端子）Ｍに得られるマイクロホン２からの音声信号が音声認識回路４２に供給される点を除くと、第２の実施形態と同様の構成となる。
【００９５】
上述した第３の実施形態によれば、上述の第２の実施形態の効果に加えて、以下のような効果を奏する。
【００９６】
すなわち、ハンズフリー通話の送話音声収音用のマイクロホンを、音楽ソースの選択や、音量制御などの制御用として用いられる音声認識用の発声語の収音用マイクロホンと兼用することができる。音声認識により、音楽ソースの選択や、音量制御などの制御ができるので、この第３の実施形態を、例えば車載用オーディオ装置に適用すれば、ハンズフリー通話のみでなく、音楽再生においても、ハンズフリーとなり、安全性が向上する。
【００９７】
なお、この第３の実施形態は、車載用オーディオ装置のみでなく、例えば前述したリビング用の椅子のヘッドレスト部にスピーカおよびマイクロホンを装着して構成の装置にも適用できることは言うまでもない。
【００９８】
［第４の実施形態（車載用オーディオシステム）］
この第４の実施形態は、２台のハンズフリー通話機能付き音響再生装置の間で、それぞれの使用者が音楽ソースの再生を楽しみながら、必要なときに、相互に通話を行なうことができるように構成したものである。以下に説明する実施形態は、車載用のオーディオシステムとして、例えば運転席と、助手席とに対してハンズフリー通話機能付き音響再生装置を設けた場合である。
【００９９】
図９に、この第４の実施形態の車載用オーディオシステムの全体の構成を示すブロックである。なお、上述した実施形態の各部と同一部分には同一符号を付してある。この図９に示すように、この第４の実施形態においては、例えば運転席に使用者３Ｂが着席し、助手席に使用者３Ａが着席する場合である。
【０１００】
第４の実施形態では、使用者３Ａおよび使用者３Ｂが座る椅子のヘッドレスト部（図示は省略）の左側端に左チャンネル用スピーカ１ＬＡおよび１ＬＢが、ヘッドレスト部の右側端に右チャンネル用スピーカ１ＲＡおよび１ＲＢが、取り付けられる。これら左右チャンネル用のスピーカ１ＬＡ，１ＬＢおよび１ＲＡ，１ＲＢは、裸のスピーカの構成とされる。
【０１０１】
そして、この第４の実施形態では、助手席の使用者３Ａについては、左チャンネルのスピーカ１ＬＡからの放射音波について、音圧ゼロ領域Ｚｏの任意の位置に、送話者（使用者３Ａ）の送話音声の収音用のマイクロホン２Ａが配置される。また、運転席の使用者３Ｂについては、右チャンネルのスピーカ１ＲＢからの放射音波について、音圧ゼロ領域Ｚｏの任意の位置に、送話者（使用者３Ｂ）の送話音声の収音用のマイクロホン２Ｂが配置される。
【０１０２】
この実施形態においても、音圧ゼロ領域Ｚｏとなる当該スピーカ１ＬＡおよびスピーカ１ＲＢの振動板の外周フレーム部に対してマイクロホン２Ａおよび２Ｂが固定されて、音圧ゼロ領域Ｚｏにマイクロホン２Ａおよび２Ｂが配置される。
【０１０３】
以上のように、この実施形態では、助手席の使用者３Ａに対しては左チャンネル用のスピーカ１ＬＡ側にマイクロホン２Ａを設け、運転席の使用者３Ｂに対しては右チャンネル用のスピーカ１ＲＢ側にマイクロホン２Ｂを設けている。
【０１０４】
このように、マイクロホン２Ａ，２Ｂを左、右に配置して離間させるようにしたのは、マイクロホン２Ａが、使用者３Ｂの発声音声を収音するのをできるだけ防止し、また、マイクロホン２Ｂが、使用者３Ａの発声音声を収音するのをできるだけ防止するためである。
【０１０５】
この実施形態では、使用者３Ａに対しては操作ボタン群４１Ａが設けられ、また、使用者３Ｂに対しては操作ボタン群４１Ｂが設けられる。これら操作ボタン群４１Ａおよび４１Ｂに対する使用者３Ａおよび３Ｂの操作に応じた操作信号は、制御部４０に供給される。制御部４０は、操作ボタン群４１Ａおよび４１Ｂのいずれが操作されたか、また、どの操作ボタンが押下操作されたかを判別し、その判別結果に応じた制御を行なう。
【０１０６】
そして、使用者３Ａに対しては、音声信号処理部２０Ａが、使用者３Ｂに対しては、音声信号処理部２０Ｂが、それぞれ設けられる。そして、音声信号処理部２０Ａに対しては、携帯電話端末４Ａが接続可能とされると共に、音声信号処理部２０Ｂに対しては、携帯電話端末４Ｂが接続可能とされる。さらに、音楽ソース部３０のＣＤプレーヤ３１Ｃ、ＨＤＤ３１Ｈおよび放送受信部３１Ｂのそれぞれからの左右２チャンネルの音声信号が、音声信号処理部２０Ａおよび２０Ｂのそれぞれに供給される。
【０１０７】
音声信号処理部２０Ａおよび２０Ｂは、上述した第２の実施形態における音声信号処理部２０と基本的には同様の構成とされる。すなわち、音楽ソース部３０からの音楽ソースを選択して再生すると共に、携帯電話端末４Ａ，４Ｂを通じて、携帯電話網を通じた外部の相手方との電話通信（ハンズフリー通話）が可能な構成とされる。
【０１０８】
そして、この第４の実施形態においては、音声信号処理部２０Ａおよび２０Ｂは、さらに、使用者３Ａと使用者３Ｂとの間で、スピーカ１ＬＡ、マイクロホン２Ａおよびスピーカ１ＲＢ、マイクロホン２Ｂを用いての、装置間通話が可能な構成とされている。この装置間通話は、携帯電話端末を使用した通話を外線通話とすると、いわば内線通話（使用者間会話）となる。
【０１０９】
さらに、この第４の実施形態では、使用者３Ａ，３Ｂが座る椅子（座席シート）には、使用者３Ａ，３Ｂが当該椅子に座ったとき、それを検知する着席センサ４３Ａおよび４３Ｂがそれぞれ設けられている。そして、この着席センサ４３Ａおよび４３Ｂの着席検出出力が制御部４０に供給されている。
【０１１０】
制御部４０は、着席センサ４３Ａ，４３Ｂからの着席検出出力が、着席を示す状態になっている使用者３Ａおよび／または３Ｂに対する音声信号処理部２０Ａおよび／または２０Ｂのみを動作可能状態とする。例えば、制御部４０は、着席を示す状態になっている使用者３Ａおよび／または３Ｂに対する音声信号処理部２０Ａおよび／または２０Ｂのみに電源電圧を供給して、その動作を可能として、省電力化を図るようにしている。
【０１１１】
音声信号処理部２０Ａおよび２０Ｂは、全く同様の構成を有する。図１０に、音声信号処理部２０Ａの構成を、両処理部２０Ａ，２０Ｂの代表として示す。この図１０において、図５と同一部分には、同一番号にサフィックスＡを付して示している。
【０１１２】
また、図１１は、音声信号処理部２０Ａおよび２０Ｂにおけるハンズフリー通話のための構成部分のみを抽出して示したものである。この図１１においては、音声信号処理部２０Ａと２０Ｂとで同一部分には、同一番号にサフィックスＡおよびＢを付して示している。
【０１１３】
この図１０に示すように、マイクロホン２Ａにより、使用者３Ａが発声する通話音声が収音され、音響−電気変換されて通話音声信号とされ、音声信号処理部２０Ａに入力される。
【０１１４】
音声信号処理部２０Ａでは、マイクロホン２Ａからの通話音声信号は、マイクアンプ２１Ａを通じてローパスフィルタ２２Ａに供給される。そして、ローパスフィルタ２２Ａの出力音声信号が、通話時と音楽ソース再生時とで切り換えられるスイッチ回路２３Ａの通話側端子（入力端子）Ｔに供給される。
【０１１５】
このスイッチ回路２３Ａの音楽再生側端子（入力端子）Ｍは、この実施形態では接地されている。そして、このスイッチ回路２３Ａの切換端子（出力端子）は、携帯電話端末４Ａを通じた外線通話時と、他の使用者３Ｂとの会話（内線通話）時とで切り換えられるスイッチ回路２７Ａの切換端子（入力端子）に接続される。
【０１１６】
このスイッチ回路２７Ａの外線通話側端子（出力端子）ＥＴは、音声信号出力端子２４Ａを通じて、この実施形態では、携帯電話端末４Ａの送話音声入力端子に接続される。
【０１１７】
また、携帯電話端末４Ａの受話音声出力端子からの通話の相手方からの受話音声信号が、音声信号入力端子２５Ａを通じて、この実施形態の音声信号処理部２０Ａに入力される。そして、この音声信号入力端子２５Ａを通じて入力された受話音声信号は、携帯電話端末４Ａを通じた外線通話時と、他の使用者３Ｂとの会話（内線通話）時とで切り換えられるスイッチ回路２８Ａの外線通話側端子（入力端子）ＥＴに供給される。
【０１１８】
そして、この第４の実施形態においては、図１１に示すように、スイッチ回路２７Ａの内線通話側端子（出力端子）ＩＴは、他の使用者３Ｂの音声信号処理部２０Ｂのスイッチ回路２８Ｂの内線通話端子（入力端子）ＩＴに接続される。また、他の使用者３Ｂの音声信号処理部２０Ｂのスイッチ回路２７Ｂの内線通話側端子（出力端子）ＩＴが、使用者３Ａの音声信号処理部２０Ａのスイッチ回路２８Ａの内線通話側端子（入力端子）ＩＴに接続される。
【０１１９】
そして、スイッチ回路２８Ａの切換端子（出力端子）に得られる音声信号は、スイッチ回路２６Ａの通話側端子（入力端子）Ｔに供給される。このスイッチ２６Ａの音楽再生側端子（入力端子）Ｍは、この実施形態では接地されている。
【０１２０】
そして、このスイッチ回路２６Ａの切換端子（出力端子）に得られる音声信号は、混合回路３６Ａに供給され、減衰部３３ＬＡを通じてこの混合回路３６Ａに供給される左チャンネルの音声信号と加算される。
【０１２１】
なお、使用者３Ｂについての音声信号処理部２０Ｂの場合には、スイッチ回路２８Ｂの出力端子に得られる音声信号は、スイッチ回路２６Ｂの通話側端子Ｔを通じて右チャンネルの音声信号との混合回路３６Ｂに供給される。そして、スイッチ回路２８Ｂの出力端子に得られる音声信号は、この混合回路３６Ｂで、減衰部３３ＲＢを通じた右チャンネルの音声信号と加算される。
【０１２２】
この第４の実施形態においては、操作ボタン群４１Ａおよび４１Ｂには、図１２に示すように、会話ボタン６６が、図７に示した操作ボタン群４１の構成に追加される。制御部４０は、この会話ボタン６６が押下されたときには、ハンズフリー通話モードにおける内線通話要求が発生したと判断して、当該内線通話を行なえるようにするための制御動作を行なう。
【０１２３】
［第４の実施形態の動作］
以上のように構成されている第４の実施形態のシステムにおいて、使用者３Ａまたは３Ｂによって、操作ボタン群４１Ａまたは４１Ｂのいずれかの操作ボタンが操作されたときの動作について、以下に説明する。
【０１２４】
制御部４０は、着席センサ４３Ａおよび４３Ｂからの着席検出出力を監視して、使用者３Ａ，３Ｂの座席シートに対する着席を検知する。そして、制御部４０は、使用者３Ａの着席を検知すると、音声信号処理部２０Ａに電源を投入して、その動作を可能状態にする。同様に、制御部４０は、使用者３Ｂの着席を検知すると、音声信号処理部２０Ａに電源を投入して、その動作を可能状態にする。なお、この実施形態は、車載用システムであるので、キーによりアクセサリースイッチがオンとされたときに、当該システムに電源が投入されるものであることは言うまでも無い。
【０１２５】
使用者３Ａ、使用者３Ｂの着席が検出されて、制御部４０により、動作可能となっている音声信号処理部２０Ａ、２０Ｂにおいては、会話ボタン６６が押下される場合を除くと、前述した第１の実施形態と同様の動作を行なう。
【０１２６】
すなわち、電話ボタン６１が押下されていない音楽ソース再生モードにおいては、この実施形態では、例えば音声信号処理部２０Ａでは、制御部４０により、スイッチ回路２３Ａ，２６Ａが音楽再生側端子Ｍに接続される。そして、この音楽ソース再生モードにおいては、前述したようにして、制御部４０の制御の下、ＣＤボタン６２、ＨＤＤボタン６３、放送ボタン６４などの押下に応じてソース選択され、２個のスピーカで、２チャンネルステレオ音声再生される。
【０１２７】
この実施形態では、使用者３Ａと使用者３Ｂとでは、異なる音楽ソースを選択して楽しむことができる。
【０１２８】
そして、電話ボタン６１が、音楽ソース再生モードにおいて押下されると、制御部４０は、ハンズフリー通話モードに切り換える。この実施形態では、制御部４０は、例えば音声信号処理部２０Ａでは、スイッチ回路２３Ａ，２６Ａを通話側端子Ｔに切り替え、スイッチ回路２７Ａおよび２８Ａを、外線通話側端子ＥＴに切り換える。また、制御部４０は、減衰部３３ＬＡは、その入力信号を−２０ｄＢ減衰させるように制御し、減衰部３３ＲＡは、その入力信号を−１０ｄＢ減衰させるように制御する。
【０１２９】
このハンズフリー通話モードにおいては、前述したように、マイクロホン２Ａからの送話音声を相手方に送ると共に、一方のチャンネルで、相手方からの受話音声を聴取する。これにより、音楽再生を継続してハンズフリー通話が可能となる。
【０１３０】
次に、会話ボタン６６が操作されたときの動作について説明する。この実施形態では、操作ボタン群４１Ａでの会話ボタン６６の操作は、使用者３Ａから使用者３Ｂへの内線通話要求になり、操作ボタン群４１Ｂでの会話ボタン６６の操作は、使用者３Ｂから使用者３Ａへの内線通話要求になる。
【０１３１】
内線通話要求が発生した場合、制御部４０は、要求された相手方が着席していて、その音声信号処理部が動作可能状態になっているか否か判別し、動作可能状態になっていなければ、内線通話要求をした使用者に、その旨を通知する。この通知は、例えば、制御部４０により、音楽ソースの音声信号に、ブザー音を混合させるなどの方法でなされる。
【０１３２】
次に、内線通話要求された相手方の音声信号処理部が動作可能状態になっているときには、制御部４０は、ハンズフリーによる内線通話（会話）をすることができる状態に制御する。
【０１３３】
この制御を、例えば使用者３Ａが会話ボタン６６を押下した場合を例に説明する。制御部４０は、先ず、音声信号処理部２０Ａにおいて、スイッチ回路２３Ａおよび２６Ａを、通話側端子Ｔに切り換えると共に、スイッチ回路２７Ａおよび２８Ａを、内線通話側端子ＩＴに切り換える。そして、制御部４０は、音声信号処理部２０Ｂにおいて、スイッチ回路２３Ｂおよび２６Ｂを、通話側端子Ｔに切り換えると共に、スイッチ回路２７Ｂおよび２８Ｂを、内政通話側端子ＩＴに切り換える。図１１は、このときの、スイッチ回路２３Ａ，２６Ａ，２７Ａ，２８Ａ、２３Ｂ，２６Ｂ，２７Ｂ，２８Ｂの切換状態を示している。
【０１３４】
また、制御部４０は、音声信号処理部２０Ａの減衰部３３ＬＡおよび音声信号処理部２０Ｂの減衰部３３ＲＢの減衰量を−２０ｄＢに制御する。また、制御部４０は、音声信号処理部２０Ａの減衰部３３ＲＡおよび音声信号処理部２０Ｂの減衰部３３ＬＢの減衰量を−１０ｄＢに制御する。
【０１３５】
上記のスイッチ回路の切換により、マイクロホン２Ａで収音された使用者３Ａの送話音声信号は、マイクアンプ２１Ａ→ローパスフィルタ２２Ａ→スイッチ回路２３Ａ→スイッチ回路２７Ａの経路を通じて相手方の音声信号処理部２０Ｂに供給される。
【０１３６】
そして、音声信号処理部２０Ｂでは、音声信号処理部２０Ａからの音声信号を、スイッチ回路２８Ｂ→スイッチ回路２６Ｂ→混合回路３６Ｂ→音量調整用ボリューム３４ＲＢ→パワーアンプ３５ＲＢの経路でスピーカ１ＲＢに供給し、音響再生する。
【０１３７】
これにより、使用者３Ａからの送話音声が、使用者３Ｂの耳の近傍のスピーカ１ＲＢで、減衰された音楽ソースの音声信号と共に再生される。
【０１３８】
また、マイクロホン２Ｂで収音された使用者３Ｂの送話音声信号は、マイクアンプ２１Ｂ→ローパスフィルタ２２Ｂ→スイッチ回路２３Ｂ→スイッチ回路２７Ｂの経路を通じて相手方の音声信号処理部２０Ａに供給される。
【０１３９】
そして、音声信号処理部２０Ａでは、音声信号処理部２０Ｂからの音声信号を、スイッチ回路２８Ａ→スイッチ回路２６Ａ→混合回路３６Ａ→音量調整用ボリューム３４ＬＡ→パワーアンプ３５ＬＡの経路でスピーカ１ＬＡに供給し、音響再生する。
【０１４０】
これにより、使用者３Ｂからの送話音声が、使用者３Ａの耳の近傍のスピーカ１ＬＡで、減衰された音楽ソースの音声信号と共に再生される。
【０１４１】
以上により、ハンズフリーで、使用者３Ａと３Ｂとの間で内線通話と同様の会話ができる。その場合に、この実施形態では、マイクロホン２Ａと２Ｂとを、使用者３Ａの左耳側、使用者３Ｂの右耳側に配して、互いが、より遠くなるように配置したので、ハウリングの防止効果は高い。
【０１４２】
［第５の実施形態（車載用オーディオシステム）］
第５の実施形態は、第４の実施形態の発展形である。第４の実施形態は、運転席と助手席に、この発明のハンズフリー機能付き音響再生装置を適用した場合であった。この第５の実施形態は、セダンタイプの４人乗りの自動車を想定して、運転席と助手席のみではなく、後列の２つの座席シートに対しても、この発明のハンズフリー機能付き音響再生装置を適用するようにする。
【０１４３】
図１３は、この第５の実施形態の車載用オーディオシステムの構成例を示すブロック図である。なお、図１３において、上述した第４の実施形態の各部と同一部分には同一符号を付してある。
【０１４４】
この図１３においては、助手席に使用者３Ａが座り、運転席に使用者３Ｂが座り、助手席の後部には使用者３Ｃが座り、運転席の後部には使用者３Ｄが座るものとしている。そして、各使用者３Ａ，３Ｂ，３Ｃ，３Ｄが座る椅子のヘッドレスト部（図示は省略）の左側に左チャンネル用スピーカ１ＬＡ、１ＬＢ、１ＬＣ，１ＬＤが取り付けられる。また、各使用者３Ａ，３Ｂ，３Ｃ，３Ｄが座る椅子のヘッドレスト部の右側に右チャンネル用スピーカ１ＲＡ、１ＲＢ，１ＲＣ，１ＲＤが取り付けられる。
【０１４５】
これら左および右チャンネルのスピーカ１ＬＡ，１ＬＢ，１ＬＣ，１ＬＤおよび１ＲＡ，１ＲＢ，１ＲＣ，１ＲＤは、裸のスピーカの構成とされる。
【０１４６】
そして、この実施形態では、助手席の使用者３Ａに対しては、左チャンネルのスピーカ１ＬＡからの放射音波について、音圧ゼロ領域Ｚｏの任意の位置に、送話者（使用者３Ａ）の送話音声の収音用のマイクロホン２Ａが配置される。同様に、助手席の後部席の使用者３Ｃに対しても、左チャンネルのスピーカ１ＬＣからの放射音波について、音圧ゼロ領域Ｚｏの任意の位置に、送話者（使用者３Ｃ）の送話音声の収音用のマイクロホン２Ｃが配置される。
【０１４７】
また、運転席の使用者３Ｂに対しては、右チャンネルのスピーカ１ＲＢからの放射音波について、音圧ゼロ領域Ｚｏの任意の位置に、送話者（使用者３Ｂ）の送話音声の収音用のマイクロホン２Ｂが配置される。同様に、運転席の後部席の使用者３Ｄに対しても、右チャンネルのスピーカ１ＲＤからの放射音波について、音圧ゼロ領域Ｚｏの任意の位置に、送話者（使用者３Ｄ）の送話音声の収音用のマイクロホン２Ｄが配置される。
【０１４８】
そして、この実施形態においても、音圧ゼロ領域Ｚｏとなる当該スピーカ１ＬＡ，１ＬＣ、１ＲＢ，１ＲＤの振動板の外周フレーム部に対してマイクロホン２Ａ，２Ｂ，２Ｃ，２Ｄが固定されて、音圧ゼロ領域Ｚｏにマイクロホン２Ａ〜２Ｄが配置される。
【０１４９】
以上のように、マイクロホン２Ａと２Ｂ、また、マイクロホン２Ｃと２Ｄとを左右チャンネルに分けて配するようにしたのは、前述したように、左右に並ぶ隣接使用者の発声音声を収音するのをできるだけ防止するためである。これにより、マイクロホン２Ａ〜２Ｄの設置位置と相俟って、ハウリング防止効果を高めることができる。
【０１５０】
この実施形態では、４座席の使用者のそれぞれが個別に音楽ソースを楽しみ、外部の相手方と携帯電話網を通じて通話を行い、さらに、４座席のいずれか、あるいは複数人と会話（内線通話）をすることができるように構成されている。
【０１５１】
マルチ切り替えボックス７０は、そのために設けられるもので、図１４に示すように、前述した制御部４０を備えると共に、各座席の使用者３Ａ，３Ｂ，３Ｃ，３Ｄのそれぞれに対して、音声信号処理部２０Ａ，２０Ｂ，２０Ｃ，２０Ｄを備える。さらに、マルチ切り替えボックス７０は、内線切り替え回路８１を備える。
【０１５２】
図１４に示すように、各音声信号処理部２０Ａ，２０Ｂ，２０Ｃ，２０Ｄに対しては、外部の相手方と携帯電話網を通じて通話を行うための携帯電話端末４Ａ，４Ｂ，４，Ｃ，４Ｄが接続可能とされる。
【０１５３】
また、各音声信号処理部２０Ａ，２０Ｂ，２０Ｃ，２０Ｄからの内線通話のための音声入出力信号（例えば図９のスイッチ回路２７Ａおよびスイッチ回路２８Ａの内線通話側端子ＩＴに得られる信号）は、内線切り替え回路７１に全て供給される。
【０１５４】
内線切り替え回路７１は、制御部４０からの制御信号に応じて、内線通話路を切り替えるようにする。
【０１５５】
そして、図１３に示すように、各座席の使用者３Ａ，３Ｂ，３Ｃ，３Ｄのそれぞれに対して、操作ボタン群４１Ａ，４１Ｂ，４１Ｃ，４１Ｄが設けられる。これら操作ボタン群４１Ａ，４１Ｂ，４１Ｃ，４１Ｄからの操作信号は、マルチ切り替えボックス７０が備える制御部４０に供給される。
【０１５６】
制御部４０は、操作ボタン群４１Ａ，４１Ｂ，４１Ｃ，４１Ｄのいずれが操作されたかを判別し、さらに判別した操作ボタン群のいずれの操作ボタンが操作されたかを判別する。そして、制御部４０は、その判別結果に応じた制御を実行するようにする。
【０１５７】
この実施形態では、操作ボタン群４１Ａ，４１Ｂ，４１Ｃ，４１Ｄのそれぞれは、図１６に示すような操作ボタンを備える。すなわち、前述の第４の実施形態と同様に、操作ボタン群は、４１Ａ，４１Ｂ，４１Ｃ，４１Ｄのそれぞれは、電話ボタン６１、ＣＤボタン６２、ＨＤＤボタン６３、放送ボタン６４、音量調整つまみ６５、会話ボタン６６を備える。この第５の実施形態では、さらに、会話ボタン６６と関連付けられて、会話対象として他の３座席のいずれか１つ、あるいは複数を指定するための４個の相手指定ボタン６７１，６７２，６７３，６７４が設けられる。
【０１５８】
なお、４個の相手指定ボタンのうち、３個の相手指定ボタン６７１，６７２，６７３は、各座席毎に異なる他の座席を指定するように、予め設定されている。そして、４個の相手指定ボタンのうちの残りの１個の相手指定ボタン６７４は、他の３座席全部を相手として指定する操作ボタンとされる。
【０１５９】
また、各使用者３Ａ，３Ｂ，３Ｃ，３Ｄの座席のそれぞれに対して着席センサ４３Ａ，４３Ｂ，４３Ｃ，４３Ｄが設けられる。これら着席センサ４３Ａ，４３Ｂ，４３Ｃ，４３Ｄの着席検出出力は、マルチ切り替えボックス７０の制御部４０に供給される。制御部４０は、着席センサ４３Ａ，４３Ｂ，４３Ｃ，４３Ｄの着席検出出力に基づいて、音声信号処理部２０Ａ，２０Ｂ，２０Ｃ，２０Ｄのうち、使用者が着席している座席に対応する音声信号処理部のみに電源を投入して、その動作を可能とするように制御する。
【０１６０】
各音声信号処理部２０Ａ，２０Ｂ，２０Ｃ，２０Ｄは、音楽ソース選択部３２Ａ，３２Ｂ，３２Ｃ，３２Ｄ（図示は省略）を備える。このため、各使用者３Ａ，３Ｂ，３Ｃ，３Ｄは、操作ボタン群４１Ａ，４１Ｂ，４１Ｃ，４１Ｄのそれぞれにおいて、自分が選択した音楽ソースを再生して楽しむことができる。
【０１６１】
すなわち、例えば、使用者３Ａが操作ボタン群４１ＡのＣＤボタン６２を押下すると、制御部４０は、それを検知して、音声信号処理部２０Ａの音楽ソース選択部３２Ａを、ＣＤプレーヤ３１Ｃからの２チャンネルの音声信号を選択するように制御する。また、例えば、使用者３Ｂが操作ボタン群４１ＢのＨＤＤボタン６３を押下すると、制御部４０は、それを検知して、音声信号処理部２０Ｂの音楽ソース選択部３２Ｂを、ＨＤＤ３１Ｈからの２チャンネルの音声信号を選択する状態に制御する。他の使用者の選択ボタン操作についても同様である。
【０１６２】
また、各使用者３Ａ，３Ｂ，３Ｃ，３Ｄは、電話ボタン６１を押下することにより、各音声信号処理部２０Ａ，２０Ｂ，２０Ｃ，２０Ｄに接続される自分用の携帯電話端末４Ａ，４Ｂ，４Ｃ，４Ｄを介して、携帯電話網を通じた相手方と通話をすることができる。このときの動作は、第４の実施形態において説明したので省略する。
【０１６３】
そして、この第５の実施形態では、会話ボタン６６を押下すると共に、相手指定ボタン６７１，６７２，６７３のいずれか１つを押下すると、当該押下された相手指定ボタンにより指定される座席の相手方と会話（内線通話）をすることができる。
【０１６４】
例えば、使用者３Ａが、操作ボタン群４１Ａにおいて、会話ボタン６６を押下した後、使用者３Ｂを指定するように設定されている相手指定ボタン６７１を押下したとする。この場合、制御部４０は、当該使用者３Ａによる操作ボタン郡４１Ａでのボタン押下操作を検出し、内線切り替え回路７１（図１４参照）を、音声信号処理部２０Ａと音声信号処理部２０Ｂの内線通話路を接続するように制御する。これにより、使用者３Ａと使用者３Ｂとの間で会話ができる。
【０１６５】
また、例えば、使用者３Ａが、操作ボタン群４１Ａにおいて、会話ボタン６６を押下した後、使用者３Ｂを指定するように設定されている相手指定ボタン６７１と、使用者３Ｃを指定するように設定されている相手指定ボタン６７２とを押下したとする。この場合、制御部４０は、当該使用者３Ａによる操作ボタン郡４１Ａでのボタン押下操作を検出し、内線切り替え回路７１を、音声信号処理部２０Ａ、２０Ｂおよび２０Ｃでの３者による内線通話路を接続するように制御する。これにより、使用者３Ａと使用者３Ｂと使用者３Ｃとの間で会話ができる。
【０１６６】
また、例えば、使用者３Ａが、操作ボタン群４１Ａにおいて、会話ボタン６６を押下した後、他の使用者の全員を指定するように設定されている相手指定ボタン６７４を押下したとする。この場合、制御部４０は、当該使用者３Ａによる操作ボタン郡４１Ａでのボタン押下操作を検出し、内線切り替え回路７１を、音声信号処理部２０Ａ、２０Ｂ，２０Ｃおよび２０Ｄの全てによる内線通話路を接続するように制御する。これにより、使用者３Ａと使用者３Ｂと使用者３Ｃと使用者３Ｄの全員の間での会話ができる。
【０１６７】
なお、この例の場合も、前述したように、着席センサ４３Ａ，４３Ｂ，４３Ｃ，４３Ｄの着席検出出力に基づいて、非着席の使用者に対する会話要求（内線通話要求）は、無効とされる。そして、その旨が前述したように警報ブザー音などにより、会話要求した使用者に知らされる。ただし、複数人との会話要求をしたときに、その一部の座席の使用者が非着席であったときには、着席している使用者との会話を可能として、非着席の使用者の存在を知らせるブザー音を省略するようにしても良い。
【０１６８】
上述した第５の実施形態においても、音楽再生しながら、携帯電話端末を通じた外部の相手方との通話や内線通話（会話）を、ハウリングを防止して行なうことができるという効果は、前述の実施形態と全く同様に得ることができることは言うまでも無い。
【０１６９】
［第６の実施形態］
この第６の実施形態は、ハンズフリー通話用のマイクロホンを、周囲外部ノイズを低減するためにノイズを収音するマイクロホンとしても兼用する場合の例である。すなわち、ハンズフリー通話モードのときには、送話音声収音用として用いるマイクロホン２を、音楽ソース再生モードのときには、周囲外部ノイズを収音するマイクロホンとして兼用するものである。
【０１７０】
図１６は、この第６の実施形態のハンズフリー通話機能付き音響再生装置の構成例のブロック図である。この図１６の例は、図８に示した第３の実施形態の構成に対して、この第５の実施形態を適用した場合であり、図８の各部と同一部分には、同一参照番号を付すものとする。
【０１７１】
図１６に示すように、この実施形態では、左チャンネル用のスピーカ１Ｌを、ハンズフリー通話モードにおける受話音声信号の再生用スピーカとする。そして、この左チャンネル用のスピーカ１Ｌからの放音音声に対して音圧ゼロ領域にマイクロホン２Ｌを設け、このマイクロホン２Ｌを、ハンズフリー通話モードにおける送話音声信号の収音用マイクロホンとする。
【０１７２】
このマイクロホン２Ｌで収音される送話音声信号は、マイクアンプ２１Ｌおよびローパスフィルタ２２を通じて、スイッチ回路２３Ｍの切換端子（入力端子）に供給される。そして、この実施形態では、ローパスフィルタ２２を通じたマイクロホン２Ｌからの音声信号は、このスイッチ回路２３Ｍの通話側端子（出力端子）Ｔから、音声信号出力端子２４を通じて、携帯電話端末４の送話音声入力端子に供給される。
【０１７３】
また、この実施形態では、ローパスフィルタ２２を通じたマイクロホン２Ｌからの音声信号は、このスイッチ回路２３Ｍの音楽再生側端子（出力端子）Ｍを通じて、音声認識回路４２に供給される。
【０１７４】
また、この実施形態では、マイクロホン２Ｌは、音楽ソース再生モードにおける左チャンネルの音声信号に対する周囲ノイズの収音用マイクロホンとして用いる。そして、この実施形態では、右チャンネル用のスピーカ１Ｒに対しても、その放音音声に対して音圧ゼロ領域にマイクロホン２Ｒを設ける。そして、このマイクロホン２Ｒを、音楽ソース再生モードにおける右チャンネルの音声信号に対する周囲ノイズの収音用マイクロホンとして用いる。
【０１７５】
そして、使用者３の周囲の雑音源から到来する外部ノイズ、例えばタイヤノイズやエンジンノイズが、マイクロホン２Ｌおよび２Ｒにより収音される。マイクロホン２Ｌおよび２Ｒで音響−電気変換されて得られる外部ノイズの音声信号は、マイクアンプ２１Ｌおよび２１Ｒをそれぞれ通じてローパスフィルタ８１Ｌおよび８１Ｒに供給される。
【０１７６】
そして、ローパスフィルタ８１Ｌおよび８１Ｒの出力音声信号が、それぞれ、ノイズ低減用のフィルタ回路８２Ｌおよび８２Ｒに供給されてノイズ低減音声信号が生成される。フィルタ回路８２Ｌからのノイズ低減音声信号は、混合回路３６Ｌに供給され、音量調整用ボリューム３４Ｌおよびパワーアンプ３５Ｌを通じてスピーカ１Ｌに供給される。
【０１７７】
また、右チャンネルについては、この実施形態では、減衰部３３Ｒと音量調整用ボリューム３４Ｒとの間に混合回路３６Ｒを設ける。そして、フィルタ回路８２Ｒからのノイズ低減音声信号は、混合回路３６Ｒに供給され、音量調整用ボリューム３４Ｒおよびパワーアンプ３５Ｒを通じてスピーカ１Ｒに供給される。
【０１７８】
ローパスフィルタ８１Ｌ，８１Ｒは、次のような理由により設けられる。すなわち、前述したように、裸のスピーカ１の振動板の前後から出る音のうち、特に、低い周波数については、振動板の前後から出る音の相殺効果が大きい。裸のスピーカ１の振動板の前後から出る音の中高域成分は、音圧ゼロ領域Ｚｏでは大きく減衰したものとなるが、完全にはゼロにはならない。
【０１７９】
そこで、この実施形態では、より確実にノイズ低減することができるようにするために、ノイズ低減対象を、ローパスフィルタ８１Ｌ，８１Ｒにより、前述した音圧ゼロ領域Ｚｏに配置したときにほぼ完全に相殺されて音圧がゼロになる低域成分のみに制限する。これにより、ハウリング無く、安定にノイズ低減することができるようにするものである。ローパスフィルタ８１Ｌおよび８１Ｒにおけるカットオフ周波数は、例えば３００Ｈｚ以下の周波数、この例では、３００Ｈｚとされる。
【０１８０】
フィルタ回路８２Ｌ，８２Ｒは、基本的には、外部ノイズの音声信号を位相反転してノイズ低減音声信号を生成するためのものである。また、フィルタ回路８２Ｌ，８２Ｒは、外部ノイズ音源位置と、ノイズキャンセルすべき使用者３の聴取位置（ノイズキャンセルポイント）との間の空間伝達関数を考慮した補正、および、マイクアンプやパワーアンプにおける特性を補正するものである。フィルタ回路８２Ｌ，８２Ｒは、この例では、デジタルフィルタを用いた構成とされる。
【０１８１】
すなわち、図示は省略するが、フィルタ回路８２Ｌ，８２Ｒは、それぞれローパスフィルタ８１Ｌ，８１Ｒからのアナログ音声信号をデジタル音声信号に変換するＡ／Ｄ変換回路を備える。そして、フィルタ回路８２Ｌ，８２Ｒは、それぞれ、このＡ／Ｄ変換回路からのデジタル音声信号を受ける、例えばＦＩＲ（Ｆｉｎｉｔｅ  Ｉｍｐｕｌｓｅ  Ｒｅｓｐｏｎｓｅ）フィルタからなるデジタルフィルタを備える。さらに、フィルタ回路８２Ｌ，８２Ｒは、それぞれ、デジタルフィルタで処理されたデジタル音声信号をアナログ音声信号に変換するＤ／Ａ変換回路を備える。
【０１８２】
そして、フィルタ回路８２Ｌ，８２Ｒのデジタルフィルタのフィルタ係数として、入力音声信号を位相反転させるようにすると共に、前述した空間伝達関数やマイクアンプ２１Ｌ，２１Ｒやパワーアンプ３５Ｌ，３５Ｒの特性を補正するための値が供給される。
【０１８３】
なお、この実施形態では、上述したように、ノイズ低減対象を、低域周波数成分と制限するようにしたが、この低域音声領域は、人間の方向感が無い領域であるので、前述したフィルタ回路８２Ｌ，８２Ｒによる空間伝達関数による補正は省略しても良い。そこで、位相反転回路のみを設けて、図１６におけるフィルタ回路８２Ｌ，８２Ｒは設けなくても良い。しかし、前述したマイクアンプ２１Ｌ，２１Ｒやパワーアンプ３５Ｌ，３５Ｒの特性の分についての補正を行うことを考慮した場合には、フィルタ回路８２Ｌ，８２Ｒを、その補正範囲内で設けるようにした方がよい。
【０１８４】
以上の構成により、スピーカ１Ｌ，１Ｒからは、ノイズ低減音が放射される。ここで、ノイズ低減音声信号は、外部ノイズの音声信号を位相反転したものであるので、ノイズ低減音は、外部ノイズＮｚとは逆相の音となる。したがって、使用者３の耳元では、外部ノイズと、当該外部ノイズとは逆相のノイズ低減音が合成される結果、外部ノイズが低減ないしキャンセルされた音となる。
【０１８５】
図１６の構成のノイズ低減装置は、いわゆるフィードフォワード方式のノイズ低減装置である。このフィードバック方式のノイズ低減装置のノイズ低減動作について、伝達関数を用いて、図１７を参照しながら説明する。図１７は、図１６に示したノイズ低減処理系のブロックに対応して、各部をその伝達関数を用いて表したブロック図である。
【０１８６】
この図１７において、Ａはパワーアンプ３５Ｌや３５Ｒの伝達関数、Ｄはドライバーとしてのスピーカ１Ｌや１Ｒの伝達関数、Ｍはマイクロホン２Ｌや２Ｒおよびマイクアンプ２１Ｌや２１Ｒの部分に対応する伝達関数である。また、−αはフィードフォワード方式のノイズ低減のために設計されたフィルタの伝達関数であり、位相反転分を含む。また、Ｆは、外部のノイズ源の位置からリスナの耳元のキャンセルポイントの位置に至るまでの空間伝達関数である。
【０１８７】
この図１７のように表したとき、図１６のブロック構成のノイズ低減装置における使用者３の耳元のキャンセルポイントにおける音圧Ｐは、ノイズの伝達関数をＮとしたとき、
Ｐ＝−ＡＤＭαＮ＋ＦＮ＋ＡＤＳ    ・・・（式１）
となる。
【０１８８】
ここで、空間伝達関数Ｆが、
Ｆ≒ＡＤＭα    ・・・（式２）
であるとすると、つまり、（式２）を満足するようにフィルタ回路１３の伝達関数−αが設計されていれば、前述の（式１）は、
Ｐ≒ＡＤＳ      ・・・（式３）
となる。
【０１８９】
したがって、キャンセルポイントにおける音圧Ｐは、ノイズがキャンセルされて、音楽ソースＳのみが存在するものとなる。（式３）において、音楽ソースＳ＝０、つまり、音楽ソースが無いとすると、Ｐ≒０となり、キャンセルポイントにおける音圧Ｐは、ノイズがキャンセルされて存在しないものとなっていることを意味することになる。
【０１９０】
ノイズキャンセル動作以外の他の動作は、上述した第３の実施形態と全く同様であり、上述したような作用効果が得られるものである。
【０１９１】
［その他の実施形態］
上述の実施形態では、音楽ソースからの左右２チャンネルの音声信号は、そのまま左右のスピーカに供給するようにした。このため、音像が頭部近傍に定位するおそれがある。しかし、音楽ソースからの左右２チャンネルの音声信号に対して、頭部伝達関数を用いた仮想音像定位処理を施すことにより、左右２チャンネルのステレオ音像を、使用者（リスナ）の前方に仮想音像定位させるようにすることもできる。
【０１９２】
すなわち、例えば、図５において、ソース選択回路３２の出力側であって、減衰部３３Ｌ，３３Ｒの前段に、仮想音像定位処理部を設ける。そして、予め、使用者の前方に左右スピーカを設置すると共に、使用者、あるいはダミーヘッドの両耳近傍に設置したマイクロホンで、設置されたスピーカからの音波を収音し、頭部伝達関数を測定しておく。そして、測定した頭部伝達関数を、仮想音像定位処理部において、２チャンネルの音声信号に畳み込み処理する。これにより、使用者の両耳近傍、後部に置かれたスピーカ１Ｌ，１Ｒによる放音音声によって仮想音像が使用者３の前方に定位され、使用者３は、２チャンネル音声を、前方に置かれた左右スピーカから放音されたように、聴取することができる。
【０１９３】
なお、この仮想音像定位処理によれば、２個のスピーカ１Ｌ，１Ｒを用いて、例えば５．１チャンネルのマルチサラウンドの仮想音像定位をさせるようにすることもできる。その場合には、５．１チャンネルサラウンド音声信号を仮想音像定位処理して２チャンネルの音声とし、その２チャンネルの音声信号のそれぞれをスピーカ１Ｌ，１Ｒに供給するようにする。
【０１９４】
したがって、２個のスピーカ１Ｌ，１Ｒは、２チャンネルステレオ音声の左右チャンネル用のみとは限らない。
【０１９５】
次に、上述の実施形態では、使用者の左右のスピーカ１Ｌ，１Ｒは、図１８（Ａ）に示すように、その振動板の振動面が使用者３の左右の耳に正対するように、上述の例では、使用者３が座る椅子のヘッドレスト部７の長辺方向に対して斜めの状態で固定した。
【０１９６】
しかし、斜め方向にスピーカ１Ｌ，１Ｒを設置した場合、スピーカ１Ｌ，１Ｒの間が広がるため、運転者にとって、後方の視認性がそれだけ悪化するおそれがある。
【０１９７】
そこで、運転席の場合には、図１８（Ｂ）に示すように、スピーカ１Ｌ，１Ｒの振動板の振動面を、ヘッドレスト部の長辺方向に平行な方向となるように、ヘッドレスト部７に取り付ける。図１８（Ｂ）では、ヘッドレスト部７内に、スピーカ１Ｌ，１Ｒを、裸のスピーカの状態で埋め込んだ状態を示している。
【０１９８】
また、図１８（Ｃ）に示すように、スピーカの構成を、ウーハー１Ｗと、左右の２個の小型の高域用スピーカ１Ｌｓおよび１Ｒｓとから構成される、いわゆる３Ｄ方式とするようにしても良い。この場合、ウーハー１Ｗには、例えば左右２チャンネルの音声信号の低域成分の加算信号が供給される。また、２個の小型の高域用スピーカ１Ｌｓおよび１Ｒｓのそれぞれには、例えば、左右チャンネルの音声信号をハイパスフィルタを通した音声信号が供給される。
【０１９９】
この図１８（Ｃ）の例の場合には、左右の小型の高域用スピーカ１Ｌｓおよび１Ｒｓは、使用者の左右の耳に正対するように、その振動板の振動面が斜め方向となるように配置される。しかし、スピーカ１Ｌｓおよび１Ｒｓは、小型の高域用であって、振動板の口径が小さいので、後方視認性は、図１８（Ａ）の場合よりも良い。
【０２００】
また、上述の実施形態では、ハンズフリー通話用のマイクロホンは、左右の２個のスピーカの一方にのみ設けるようにした。しかし、図１８（Ａ），（Ｂ），（Ｃ）に示すように、左右の両方のスピーカに対してマイクロホン２Ｌ，２Ｒを設け、そのいずれか一方を選択して使用するようにしても良い。
【０２０１】
なお、図１８（Ｃ）の場合には、ウーハー１Ｗにはマイクロホンは設けられず、左右の小型の高域用スピーカ１Ｌｓおよび１Ｒｓに対してマイクロホン２Ｌ，２Ｒが設けられる。
【０２０２】
また、左右の両方のスピーカ１Ｌ，１Ｒに対して設けた２個のマイクロホン２Ｌ，２Ｒの両方を、ハンズフリー通話用のマイクロホンとして用いることもできる。図１９は、ビジネス用椅子６のヘッドレスト部７に対して、左右のスピーカ１Ｌ，１Ｒを設けると共に、そのスピーカ１Ｌ，１Ｒのフレーム（音圧ゼロ領域）に、マイクロホン２Ｌ，２Ｒをそれぞれ設けたものを示している。
【０２０３】
この場合、左のスピーカ１Ｌとマイクロホン２Ｌは、第１の電話回線についてのハンズフリー通話用とし、右のスピーカ１Ｒとマイクロホン２Ｒは、第２の電話回線についてのハンズフリー通話用とするように構成する。すなわち、電話回線を２回線設け、一方の回線に対するハンズフリー通話用として、左のスピーカ１Ｌおよびマイクロホン２Ｌを接続し、他方の回線に対するハンズフリー通話用として右のスピーカ１Ｒおよびマイクロホン２Ｒを接続するようにする。
【０２０４】
椅子６に座ったオペレータは、顔を左右させることにより、第１の回線と、第２の回線との両方に対して、ハンズフリー通話ができる。この場合、第１の回線と、第２の回線との両方に対して同時のハンズフリー通話も可能である。したがって、図１９の構成の装置は、コールセンターの電話応答のオペレータのハンズフリー通話用として好適である。この場合、図１９の例は、電話応答用であるので、音楽ソースを再生するための信号処理系は、設ける必要は無い。
【０２０５】
［実施形態の効果］
上述した実施形態のハンズフリー通話装置およびハンズフリー通話機能付き音響再生装置によれば、簡単なハードウエア構成で、ハウリングを防止しながらハンズフリー通話ができる。従来は、車載用装置などでは、サンバイザーやハンドルなどにハンズフリー通話用のマイクロホンを取り付けなければならない煩わしさがあった。
【０２０６】
これに対して、上述の実施形態によれば、スピーカの音圧ゼロ領域であるフレーム部分にマイクロホンが取り付けられ、ヘッドレスト部にスピーカが取り付けられる構成であるので、そのような煩わしさが改善される。
【０２０７】
また、ヘッドホンタイプのハンズフリー通話装置では、ヘッドホンを装着しなければならなかったので、身体にヘッドホンが接触することによる違和感や非衛生的などの問題点があった。
【０２０８】
これに対して、この実施形態では、スピーカおよびマイクロホンは、使用者の近傍において、ヘッドレストなどに固定されるので、そのような問題点は解消される。
【０２０９】
そして、スピーカは、使用者の耳の近傍に配置されるので、音響エネルギーは少なくてよく、自動車などの狭い空間においても、ハウリングを防止したハンズフリー通話を、他への影響を少なくして行うことができる。
【０２１０】
また、上述のハンズフリー通話機能付け音響再生装置の実施形態においては、音楽ソースは、各使用者が個別に選択することができると共に、音量も個別に調整することができる。そして、ハンズフリー通話の際には、音楽ソースについては減衰させるようにして、音楽ソースを聴取しながらのハンズフリー通話が可能である。
【０２１１】
また、第３の実施形態のように、ハンズフリー通話用のマイクロホンを、音楽再生モード時における音声認識用として兼用することができるという効果もある。
【０２１２】
また、ハンズフリー通話用のマイクロホンを、音楽再生モード時におけるノイズキャンセルを行なうための外部ノイズの収音用としても兼用することもできるという効果もある。
【０２１３】
［その他の変形例］
上述の実施形態では、ハンズフリー通話モード時においては、音楽ソースを聞きながらハンズフリー通話を行なうようにした。しかし、ハンズフリー通話モードにおいては、音楽ソース部からの２チャンネルの音声信号は、スピーカ１Ｌ，１Ｒに供給しないように制御するようにしてもよい。すなわち、ハンズフリー通話モードのときには、音楽ソース部３０からの音声信号の出力レベルをゼロ（減衰量は−∞）に減衰させてしまったり、その発生を停止するようにしても良いし、音楽ソース部３０からの音声信号をミューティングするようにしても良い。
【０２１４】
また、上述した実施形態では、マイクアンプおよびローパスフィルタを通じてハンズフリー通話の送話音声を送出し、受話音声は、パワーアンプを通じるようにした。しかし、携帯電話端末の種類や、当該携帯電話端末との接続方法によっては、マイクアンプおよびローパスフィルタ、また、パワーアンプは省略するようにすることもできる。
【０２１５】
上述の実施形態では、外部の相手方とは、携帯電話網を通じて通話を行なうようにしたが、電話網としては、携帯電話網に限らず、加入者電話回線網やその他の電話網を通じた通話が可能であることは勿論である。
【０２１６】
また、ハンズフリー通話機能付きの音響再生装置は、上述の車載用オーディオシステムの場合に限らず、例えば家庭用の装置としても構成することもできる。
【０２１７】
なお、上述の実施形態では、操作ボタン群は、有線で接続される状態を示したが、操作ボタン群は、リモコン送信機に設けられる構成であっても良いことはもちろんである。
【図面の簡単な説明】
【０２１８】
【図１】この発明によるハンズフリー通話装置の実施形態（第１の実施形態）の構成例のブロック図である。
【図２】この発明によるハンズフリー通話装置の実施形態において、ハンズフリー通話用のスピーカおよびマイクロホンの配置位置を説明するための図である。
【図３】この発明によるハンズフリー通話装置の実施形態において、ハンズフリー通話用のスピーカおよびマイクロホンの配置位置を説明するために用いる図である。
【図４】この発明によるハンズフリー通話装置の実施形態において、ハンズフリー通話用のスピーカおよびマイクロホンの配置位置の例を示す図である。
【図５】この発明によるハンズフリー通話機能付き音響再生装置の実施形態（第２の実施形態）の構成例を示すブロック図である。
【図６】この発明の第２の実施形態におけるスピーカおよびマイクロホンの配置位置の例を示す図である。
【図７】この発明の第２の実施形態における操作ボタン群の例を示す図である。
【図８】この発明によるハンズフリー通話機能付き音響再生装置の実施形態（第３の実施形態）の構成例を示すブロック図である。
【図９】この発明によるハンズフリー通話機能付き音響再生装置の実施形態（第４の実施形態）の構成例を示すブロック図である。
【図１０】この発明によるハンズフリー通話機能付き音響再生装置の実施形態（第５の実施形態）の構成例を示すブロック図である。
【図１１】この発明の第５の実施形態における装置間通話（内線通話）を説明するための図である。
【図１２】この発明の第５の実施形態における操作ボタン群の例を示す図である。
【図１３】この発明によるハンズフリー通話機能付き音響再生装置の実施形態（第６の実施形態）の構成例を示すブロック図である。
【図１４】この発明の第６の実施形態における装置間通話（内線通話）を説明するための図である。
【図１５】この発明の第６の実施形態における操作ボタン群の例を示す図である。
【図１６】この発明によるハンズフリー通話機能付き音響再生装置のさらに他の実施形態の構成例を示すブロック図である。
【図１７】図１６の実施形態のハンズフリー通話機能付き音響再生装置の要部を説明するために用いる図である。
【図１８】この発明の実施形態において、ハンズフリー通話用のスピーカおよびマイクロホンの配置位置の他の例を説明するための図である。
【図１９】この発明によるハンズフリー通話装置の他の実施形態におけるハンズフリー通話用のスピーカおよびマイクロホンの配置位置例を示す図である。
【図２０】従来の車載用ハンズフリー通話装置の一例を説明するための図である。
【図２１】従来の車載用ハンズフリー通話装置の他の例を説明するための図である。
【符号の説明】
【０２１９】
１…裸のスピーカ、２…マイクロホン、３…使用者、４…携帯電話端末
【図１】
2010045574.tif 000003
【図２】
2010045574.tif 000004
【図３】
2010045574.tif 000005
【図４】
2010045574.tif 000006
【図５】
2010045574.tif 000007
【図６】
2010045574.tif 000008
【図７】
2010045574.tif 000009
【図８】
2010045574.tif 000010
【図９】
2010045574.tif 000011
【図１０】
2010045574.tif 000012
【図１１】
2010045574.tif 000013
【図１２】
2010045574.tif 000014
【図１３】
2010045574.tif 000015
【図１４】
2010045574.tif 000016
【図１５】
2010045574.tif 000017
【図１６】
2010045574.tif 000018
【図１７】
2010045574.tif 000019
【図１８】
2010045574.tif 000020
【図１９】
2010045574.tif 000021
【図２０】
2010045574.tif 000022
【図２１】
2010045574.tif 000023